(57)【要約】【課題】  ガイドピンの位置を簡単且つ確実に調整することができる吊り戸のガイド装置及びガイドピンの位置調整方法を提供する。【解決手段】  ガイドピン挿入孔９を内筒８に対して偏心させ、このガイドピン挿入孔９にガイドピン５が上方に突出自在に収納されていて、同ガイドピン５の上端部には磁石２０が設けられており、内筒８を外筒７に対して周方向に回転した複数位置で嵌め込み可能とし、各嵌め込み位置での嵌め込み状態において内筒８が外筒７に対し回転するのを阻止するストッパ手段３０を設け、内筒８が引き上げられ外筒７から完全に引き抜かれる手前段階において、内筒８が外筒７に対して回転自在となるよう同ストッパ手段３０が解除されるようになしている。【選択図】図８
2006291464.tif 000002
【特許請求の範囲】
【請求項１】
吊り戸本体が上レールにランナーを介して走行自在に吊り下げられ、床面に磁力にて突出引退自在に設けられたガイドピンが吊り戸本体の下端面に形成された走行溝にその突出状態で挿入されて走行ガイドを行う吊り戸のガイド装置であって、床面下に外筒が埋設され、外筒内に内筒を嵌め込むと共に内筒を外筒に対して周方向の嵌め込み位置を可変自在とし、この内筒に上方が開口したガイドピン挿入孔を形成し、ガイドピン挿入孔の中心を内筒の中心に対して偏心させ、この偏心したガイドピン挿入孔にガイドピンが上方へ突出自在に収納されていて、同ガイドピンの上端部には磁石が設けられており、内筒を外筒に対して周方向に回転した複数位置で嵌め込み可能とし、各嵌め込み位置での嵌め込み状態において内筒が外筒に対し回転するのを阻止するストッパ手段を設け、内筒が引き上げられ外筒から完全に引き抜かれる手前段階において、内筒が外筒に対して回転自在となるよう同ストッパ手段が解除されるようになした吊り戸のガイド装置。
【請求項２】
内筒の下端部に弾性を有する係止爪部を垂設して、この係止爪部が外筒の下端部に係止されることで、嵌め込み状態にある内筒が外筒に対し引き上げられるのを阻止するようになしており、内筒が引き上げられて同係止爪部がその弾性に抗し外筒の下端部から係止解除された、同内筒が外筒から完全に引き抜かれる手前段階において、前記係止爪部が外筒内で回動自在となるようストッパ手段が除去された回動スペースを同外筒内に形成したことを特徴とする請求項１記載の吊り戸のガイド装置。
【請求項３】
請求項１又は２記載の吊り戸のガイド装置において、ガイドピンの上端部に設けられた磁石をその磁力により吸引する操作具を同上端部に近接させることによって、ガイドピンを内筒のガイドピン挿入孔から突出させ、この突出状態にあるガイドピンを持って引き上げられた同内筒を外筒に対し回転させることにより、ガイドピンの平面視における位置を調整することを特徴とするガイドピンの位置調整方法。
【発明の詳細な説明】
【技術分野】
【０００１】
本願発明は、吊り戸の下部をガイドするための吊り戸のガイド装置及び同装置におけるガイドピンの位置調整方法に関するものである。
【背景技術】
【０００２】
従来から吊り戸本体が上レールにランナーを介して走行自在に吊り下げられ、床面に磁力にて突出引退自在に設けられたガイドピンが吊り戸本体の下端面に形成された走行溝にその突出状態で挿入されて走行ガイドを行う吊り戸のガイド装置が実開平４−１１３６７０号公報（特許文献１）により知られている。この従来例にあっては、図１１に示す如く、外筒７を床面４下に埋設し、この外筒７内にガイドピン５を上方に突出自在に収納した内筒８を嵌め込んで取り付けてある。
【０００３】
そして、図１（本願発明の実施形態を示す図を援用）に示す如く、吊り戸本体１の下端面に形成された走行溝６の両端部に吸引磁石１０を取り付け、この吸引磁石１０はいずれもＮ極とＳ極とを走行溝６の長手方向に並ぶよう配置し、この場合、両吸引磁石１０の外側には同じ極が位置し且つ両吸引磁石１０の内側には同じ極が位置するようにしてある。一方、図１１に示す如く、ガイドピン５の上端部には磁石２０が設けられ、この磁石２０はＮ極とＳ極が上下方向に並ぶようにしてあり、ガイドピン５に設けた磁石２０の上面側が上記吸引磁石１０の外側に位置する極と同極にしてある。又、ガイドピン５の下端部に下磁石２１を設け、内筒８の壁部にガイドピン５が上方に突出した状態でガイドピン５の下端部の下磁石２１に磁着する保持用磁石２２を設けてある。
【０００４】
吊り戸本体１が上レールに吊り下げられた状態で移動して、吊り戸本体１の走行溝６の一端部に設けた吸引磁石１０のＮ極、Ｓ極のうち内側に位置する極がガイドピン５と対向する位置になると、異極であるためガイドピン５が上方に引き上げられ、このように、ガイドピン５が上方に引き上げられると、ガイドピン５の下端部に設けた下磁石２１が保持用磁石２２と対向して磁着し、ガイドピン５の上方への突出状態が保持される。したがって、この状態で吊り戸本体１を移動すると走行溝６にガイドピン５が挿入されてガイドされた状態で吊り戸本体１ががたつくことなくスムーズに移動するものである。
【０００５】
吊り戸本体１が移動して走行溝６の他端部に設けた吸引磁石１０のＮ極、Ｓ極のうち外側に位置する極がガイドピン５と対向する位置になると、同極であるためガイドピン５が反発して下方に移動して内筒８内に没入する。この場合、ガイドピン５の上端部の磁石２０と吸引磁石１０とが反発して両者を引き離す磁力が、ガイドピン５の下端部に設けた下磁石２１と内筒８の壁部に設けた保持用磁石２２とが吸引する磁力よりも大きく設定してあり、そのため、走行溝６の他端部に設けた吸引磁石１０のＮ極、Ｓ極のうち外側に位置する極がガイドピン５と対向する位置になると、同極であるためガイドピン５が反発して下方に移動して内筒８内に没入するのである。
【０００６】
上記のような従来例にあっては、ガイドピン５が吊り戸本体１の下端面の走行溝６内と対向するときにのみ、上方に突出して吊り戸本体１の下端部の走行ガイドを行い、吊り戸本体１の走行溝６がガイドピン５から離れた状態では、ガイドピン５が床面４よりも下方に没入しており、その結果、歩行の際にガイドピン５が何等邪魔にならないようになっている。
【０００７】
ところで、上記のような従来例にあっては、現場において床面４に複数の孔を形成し、この複数の孔にそれぞれ外筒７を嵌め込んで取り付け、更に、各外筒７にガイドピン５を上方へ突出自在に収納した内筒８を嵌め込んで取り付けるのであるが、上記のようにして取り付けた複数のガイドピン５を上レールと平行な一直線上に位置させるように施工するのは難しいという問題があってその作業は面倒であり、そのため、熟練した作業者が必要となる。ここで、複数のガイドピン５が上レールと平行な一直線上に位置していないと、吊り戸本体１をその下端部ががたつかないようスムーズには走行させることができないものである。
【０００８】
そこで、上記のような従来例における問題を解決するものとして、特開平１１−７１９５４号公報（特許文献２）に開示されるような吊り戸のガイド装置が提案された。この吊り戸のガイド装置は、図１（本願発明の実施形態を示す図を援用）に示す如く、吊り戸本体１が上レールにランナーを介して走行自在に吊り下げられ、床面４に磁力にて突出引退自在に設けられたガイドピン５が吊り戸本体１の下端面に形成された走行溝６にその突出状態で挿入されて走行ガイドを行うものである。
【０００９】
そして、この吊り戸のガイド装置にあっては、図１２（ａ）に示す如く、床面４下に外筒７が埋設され、外筒７内に内筒８を嵌め込むと共に内筒８を外筒７に対して周方向の嵌め込み位置を可変自在とし、この内筒８に上方が開口したガイドピン挿入孔９を形成し、図１２（ｂ）に示す如く、ガイドピン挿入孔９の中心を内筒８の中心に対して偏心させ、この偏心したガイドピン挿入孔９にガイドピン５が上方へ突出自在に収納されているものである。
【００１０】
この場合、外筒７の上端部にはフランジ部１４が設けてあり、同外筒７の挿入深さを決めている。又、内筒８の上端部の鍔部１５が前記外筒７のフランジ部１４に載置されて嵌め込み深さが決められるものであり、そして、内筒８の下端部の弾性を有する係止爪部１６が外筒７の下端部よりも若干下方に位置して上方への不意な抜けを防止するようになっている。したがって、この吊り戸のガイド装置においては、内筒８の外筒７に対する周方向の嵌め込み位置を変化させることで、平面視におけるガイドピン５の位置を調整することができ、これにより、複数のガイドピン５を上レールと平行な一直線上に位置させて、吊り戸本体１をその下端部ががたつかないようスムーズには走行させることができる。
【特許文献１】実開平４−１１３６７０号公報
【特許文献２】特開平１１−７１９５４号公報
【発明の開示】
【発明が解決しようとする課題】
【００１１】
ところで、上記特許文献２に開示された吊り戸のガイド装置にあっては、内筒８を外筒７に対して周方向の嵌め込み位置を可変自在としているが、この場合、内筒８が外筒７に対して回転自在に嵌め込まれるか、或いは、内筒８を外筒７に対して周方向に回転した複数位置で嵌め込み可能としているかである。しかしながら、前者の場合、嵌め込み位置にあっても内筒８が外筒７に対し回転自在となって、ガイドピン５による走行ガイドが不確実なものとなり、後者の場合、内筒８を外筒７から完全に抜き外さないと嵌め込み位置を変化させることができないため、その作業が面倒なものであった。
【００１２】
本願発明は、このような事情に鑑みて発明されたものであり、その課題は、平面視におけるガイドピンの位置を簡単且つ確実に調整することができ、同ガイドピンにより吊り戸本体の走行をスムーズにガイドしたり、吊り戸本体の下部が振れるのを防止したりすることができる吊り戸のガイド装置及びガイドピンの位置調整方法を提供することである。
【課題を解決するための手段】
【００１３】
上記課題を解決するために、本願発明の吊り戸のガイド装置は、吊り戸本体が上レールにランナーを介して走行自在に吊り下げられ、床面に磁力にて突出引退自在に設けられたガイドピンが吊り戸本体の下端面に形成された走行溝にその突出状態で挿入されて走行ガイドを行う吊り戸のガイド装置であって、床面下に外筒が埋設され、外筒内に内筒を嵌め込むと共に内筒を外筒に対して周方向の嵌め込み位置を可変自在とし、この内筒に上方が開口したガイドピン挿入孔を形成し、ガイドピン挿入孔の中心を内筒の中心に対して偏心させ、この偏心したガイドピン挿入孔にガイドピンが上方へ突出自在に収納されていて、同ガイドピンの上端部には磁石が設けられており、内筒を外筒に対して周方向に回転した複数位置で嵌め込み可能とし、各嵌め込み位置での嵌め込み状態において内筒が外筒に対し回転するのを阻止するストッパ手段を設け、内筒が引き上げられ外筒から完全に引き抜かれる手前段階において、内筒が外筒に対して回転自在となるよう同ストッパ手段が解除されるようになしたものである。
【００１４】
又、本願発明のガイドピンの位置調整方法は、上記吊り戸のガイド装置において、ガイドピンの上端部に設けられた磁石をその磁力により吸引する操作具を同上端部に近接させることによって、ガイドピンを内筒のガイドピン挿入孔から突出させ、この突出状態にあるガイドピンを持って引き上げられた同内筒を外筒に対し回転させることにより、ガイドピンの平面視における位置を調整することを特徴とするものである。
【発明の効果】
【００１５】
本願発明の吊り戸のガイド装置においては、偏心したガイドピンを備えた内筒の外筒に対する周方向の嵌め込み位置が可変自在とされているので、施工現場において床面への外筒の埋設位置に誤差等があっても、同嵌め込み位置を変化させることによって、平面視におけるガイドピンの位置を調整することができ、このガイドピンにより吊り戸本体の走行をスムーズにガイドしたり、吊り戸本体の下部が振れるのを防止したりすることができる。
【００１６】
更に、内筒を外筒に対して周方向に回転した複数位置で嵌め込み可能とし、各嵌め込み位置での嵌め込み状態において内筒が外筒に対し回転するのを阻止するストッパ手段を設けているので、内筒を嵌め込んだ状態では外筒に対して同内筒が回転せず、ガイドピンの位置を調整した後にその位置ずれを確実に防止することができる。しかも、この場合、内筒が引き上げられ外筒から完全に引き抜かれる手前段階において、内筒が外筒に対して回転自在となるよう前記ストッパ手段が解除されるようになしているため、内筒を外筒から完全に抜き外さなくても同完全に引き抜かれる手前段階において、同ストッパ手段が解除された状態で嵌め込み位置を簡単に変化させることができる。
【００１７】
又、本願発明のガイドピンの位置調整方法においては、上記吊り戸のガイド装置において、ガイドピンの上端部に設けられた磁石をその磁力により吸引する操作具を同上端部に近接させることによって、ガイドピンを内筒のガイドピン挿入孔から容易に突出させることができ、この突出状態にあるガイドピンを持って引き上げられた同内筒を外筒に対し回転させることにより、極めて簡単にガイドピンの平面視における位置を調整することができる。
【発明を実施するための最良の形態】
【００１８】
図１〜図１０は、本願の請求項１〜４全てに対応した一実施形態である吊り戸のガイド装置とこの吊り戸のガイド装置におけるガイドピンの位置調整方法とを示している。この実施形態の吊り戸のガイド装置では、図１、２に示す如く、吊り戸本体１が上レール２にランナー３を介して走行自在に吊り下げられ、床面４に磁力にて突出引退自在に設けられたガイドピン５が吊り戸本体１の下端面に形成された走行溝６にその突出状態で挿入されて走行ガイドを行うものである。
【００１９】
この場合に、図３〜５に示す如く、床面４下に外筒７が埋設され、外筒７内に内筒８を嵌め込むと共に内筒８を外筒７に対して周方向の嵌め込み位置を可変自在とし、この内筒８に上方が開口したガイドピン挿入孔９を形成し、ガイドピン挿入孔９の中心を内筒８の中心に対して偏心させ、この偏心したガイドピン挿入孔９にガイドピン５が上方へ突出自在に収納されていて、同ガイドピン５の上端部には磁石２０が設けられている。
【００２０】
しかも、図８〜１０に示す如く、内筒８を外筒７に対して周方向に回転した複数位置で嵌め込み可能とし、各嵌め込み位置での嵌め込み状態において内筒８が外筒７に対し回転するのを阻止するストッパ手段３０を設け、内筒８が引き上げられ外筒７から完全に引き抜かれる手前段階において、内筒８が外筒７に対して回転自在となるよう同ストッパ手段３０が解除されるようになしている。
【００２１】
更に、この実施形態の吊り戸のガイド装置では、図４に示す如く、内筒８の下端部に弾性を有する係止爪部１６を垂設して、この係止爪部１６が外筒７の下端部に係止されることで、嵌め込み状態にある内筒８が外筒７に対し引き上げられるのを阻止するようになしている。そして、図８（ｂ）に示す如く、内筒８が引き上げられて係止爪部１６がその弾性に抗し外筒７の下端部から係止解除された、同内筒８が外筒７から完全に引き抜かれる手前段階において、前記係止爪部１６が外筒７内で回動自在となるようストッパ手段３０が除去された回動スペースＫを同外筒７内に形成している。
【００２２】
又、この実施形態のガイドピンの位置調整方法では、図８（ｂ）に示す如く、上記吊り戸のガイド装置において、ガイドピン５の上端部に設けられた磁石２０をその磁力により吸引する操作具Ｍを同上端部に近接させることによって、ガイドピン５を内筒８のガイドピン挿入孔９から突出させ、この突出状態にあるガイドピン５を持って引き上げられた同内筒８を外筒７に対し回転させることにより、ガイドピン５の平面視における位置を調整するものである。
【００２３】
以下、この実施形態の吊り戸のガイド装置及びガイドピンの位置調整方法をより具体的詳細に説明する。図２に示す如く、吊り戸本体１の上端の両端部にはランナー３が設けてあり、これらランナー３は天井等に取り付けた上レール２に走行自在に嵌め込んであって、ランナー３を介して吊り戸本体１が上レール２に走行自在に吊り下げられている。上レール２の下方の床面４には、図１に示す如く、上レール２に平行にガイドピン５が適宜間隔を隔てて磁力にて突出引退自在に設けてある。
【００２４】
吊り戸本体１の下端面には全長にわたって走行溝６が形成してある。図１に示す如く、走行溝６の両端部にはそれぞれ吸引用磁石１０が取り付けてあり、この吸引磁石１０はいずれもＮ極とＳ極とが走行溝６の長手方向に並ぶよう配置してある。この場合、両吸引磁石１０の外側には同じ極が位置し、且つ、両吸引磁石１０の内側には同じ極が位置するようにしてある。例えば、図１に示す如く、一方の側端部に取り付ける吸引磁石１０の外側がＮ極、内側がＳ極とすると、他方の側端部に取り付ける吸引磁石１０も外側がＮ極、内側がＳ極となるように設定してある。又、上記吸引用磁石１０の両側には鉄板のような磁性体にて形成された傾斜ガイド１１が設けてある。
【００２５】
次に、床面４に対しガイドピン５を突出引退自在に設ける構成について説明する。図３〜５に示す如く、床面４下には外筒７が埋設してある。この外筒７は外周面部に食い込み用突起１２を有しており、床面４にドリルにより穴１３を穿孔し、この穴１３に上方より外筒７を打ち込んで、食い込み用突起１２を穴１３の内壁面に食い込ませることで外筒７を床面４下に埋設固着するようになっている。ここで、外筒７の上端部にはフランジ部１４が設けてあって、外筒７の挿入深さを決めている。
【００２６】
そして、外筒７内に内筒８を嵌め込むと共に、内筒８を外筒７に対して周方向の嵌め込み位置を可変自在としてある。ここでは、内筒８の上端部の鍔部１５が外筒７のフランジ部１４に載置されて嵌め込み深さが決められるものであり、又、この場合、内筒８の下端部の弾性を有する係止爪部１６が外筒７の下端部よりも若干下方に位置して上方への不意な抜けを防止するようになっている。
【００２７】
内筒８には上方が開口したガイドピン挿入孔９が形成してあり、このガイドピン挿入孔９の中心は、図４、５に示す如く、内筒８の中心に対して偏心している。ガイドピン挿入孔９にはガイドピン５が上方へ突出自在に収納してある。ガイドピン５には縦方向に長くなった長孔１７が設けてあり、又、内筒８の胴部分には横孔１８が設けてあり、内筒８の横孔１８に挿入固着した横ピン１９がガイドピン５の長孔１７に挿通してあって、これにより、内筒８に対して長孔１７が横ピン１９に対してスライドできる範囲でのみガイドピン５が上下方向に移動できるように設定してある。
【００２８】
ガイドピン５の上端部には磁石２０が設けられ、この磁石２０はＮ極とＳ極が上下方向に並ぶようにしてあり、又、ガイドピン５に設けた磁石２０の上面側が上記吸引磁石１０の外側に位置する極と同極にしてある。つまり、例えば、前述のように吸引磁石１０の外側がＮ極、内側がＳ極の場合、ガイドピン５上端部の磁石２０の上面側はＮ極に設定してある。又、ガイドピン５の下端部には下磁石２１が設けてあり、更に、内筒８の胴部の上下方向略中間部分には保持用磁石２２が設けてあり、ガイドピン５が上方に移動した状態で下磁石２１が保持用磁石２２に磁着されて、ガイドピン５の上方への突出状態を保持するようになっている。
【００２９】
上記のようにして複数のガイドピン５を床面４に突出引退自在に取付けるのであるが、吊り戸本体１の走行軌跡上に位置する複数のガイドピン５は一直線上に位置させる必要があり、この実施形態のガイドピンの位置調整方法では、ガイドピン挿入孔９の中心を内筒８の中心に対して偏心させてあるので、ガイドピン５を嵌め込んでいる内筒８を外筒７に対して回転することで、平面視におけるガイドピン５の位置を調整し、吊り戸本体１の走行軌跡（つまり走行溝６の走行軌跡）に合わせることができるものである。
【００３０】
しかして、ランナー３を介して上レール２に吊り下げた吊り戸本体１を走行させ、吊り戸本体１の下端面における走行溝６の端部に位置する吸引磁石１０の内側の極（実施形態ではＳ極）が床面４下に引退しているガイドピン５と対向する位置まで来ると、吸引磁石１０の内側の極とガイドピン５の上端部に設けた磁石２０の上面の極とが異極であるため磁力によりガイドピン５が上方に引き上げられてガイドピン５が走行溝６内に入り込む。このように、ガイドピン５が上方に引き上げられると、ガイドピン５の下端部に設けた下磁石２１が内筒８の胴部の上下方向略中間部に設けた保持用磁石２２と対向して磁着され、これにより、ガイドピン５が上方に突出して吊り戸本体１の下端面部の走行溝６内に入り込んだ状態が保持される。
【００３１】
したがって、この状態で吊り戸本体１を更に移動させると、上記吊り戸本体１の下端面部の走行溝６がガイドピン５にガイドされながら吊り戸本体１が移動することになって、吊り戸本体１の下端部の振れが防止されることになる。図１に、ガイドピン５が上方に突出して吊り戸本体１の下端面の走行溝６内に入り込んで振れ止めをしながら吊り戸本体１の走行をガイドしている状態を示している。
【００３２】
上記のようにガイドピン５を走行溝６内に突入させてガイドしながら吊り戸本体１を走行させて吊り戸本体１の走行溝６の他端部に設けた吸引磁石１０の外側の極（実施形態ではＮ極）がガイドピン５の位置まで来ると、吸引磁石１０の外側の極とガイドピン５の上端部に設けた磁石２０の上面の極とが同極であるため反発しあってガイドピン５が下方に引き上げられる力が作用する。この場合、ガイドピン５の上端部の磁石２０と吸引磁石１０とが反発して両者を引き離す磁力が、ガイドピン５の下端部に設けた下磁石２１と内筒８の胴部に設けた保持用磁石２２とが吸引する磁力よりも大きく設定してあり、そのため、走行溝６の他端部に設けた吸引磁石１０外側に位置する極がガイドピン５の上面と対向する位置になると、互いに同極であるためガイドピン５が反発して下方に移動して内筒８内に没入する。
【００３３】
このように、吊り戸本体１が通過した後はガイドピン５が内筒８内に没入して床面４下に後退するので、床面４を歩行する場合等にガイドピン５が邪魔になることがないものである。ところで、内筒８を外筒７に対して周方向の嵌め込み位置を可変自在とするに当っては、図８〜１０示す如く、内筒８を外筒７に対して周方向に回転した複数位置で嵌め込み可能とし、各嵌め込み位置での嵌め込み状態において、内筒８が外筒７に対して回転するのを阻止するストッパ手段３０を設けるようにしている。
【００３４】
すなわち、外筒７の内周面に周方向に一定間隔で複数の差し込み溝３０ａを設けると共に内筒８の外周面に突起３０ｂを設け、内筒８を外筒７に嵌め込む際に周方向に複数設けた差し込み溝３０ａのうち任意の差し込み溝３０ａに突起３０ｂを嵌め込むことで、内筒８を外筒７に対して周方向に回転した複数位置のうち任意の位置で嵌め込み且つこの嵌め込み状態を差し込み溝３０ａへの突起３０ｂの嵌め込みによって保持して差し込み状態では周方向に回転しないように阻止している。したがって、差し込み溝３０ａ、突起３０ｂにより各嵌め込み位置での嵌め込み状態において内筒８が外筒７に対して回転するのを阻止するストッパ手段３０が構成してある。なお、内筒８の外周面に周方向に一定間隔で差し込み溝３０ａを設け且つ外筒７の外周面に突起３０ｂを設けるようにしてもよい。
【００３５】
そして、床面４に設けた孔３に嵌め込むことで床面４下に埋設した外筒７に内筒８を嵌め込む際、周方向に複数設けた差し込み溝３０ａのうちどの差し込み溝３０ａに突起３０ｂを嵌め込むかを選択することで、内筒８の中心に対して偏心して設けたガイドピン５の位置を調整するものであるが、調整後（つまり完全に嵌め込んだ状態）では差し込み溝３０ａ、突起３０ｂよりなるストッパ手段３０により内筒８が外筒７に対して回転することが阻止されるので、ガイドピン５の位置を調整後の正しい位置で確実に保持することができるものである。
【００３６】
しかも、この場合、図８に示す如く、内筒８が引き上げられ外筒７から完全に引き抜かれる手前段階において、内筒８が外筒７に対して回転自在となるよう前記ストッパ手段３０が解除されるようになっている。すなわち、図８（ｂ）に示す如く、内筒８が引き上げられて係止爪部１６がその弾性に抗し外筒７の下端部から係止解除された状態であり、同内筒８が外筒７から完全に引き抜き出される手前段階において、前記係止爪部１６が外筒７内で回動自在となるように、ストッパ手段３０の差し込み溝３０ａが除去された回動スペースＫ（ここでは、外筒７の内周部位で、差し込み溝３０ａ間の凸条部分が除去されたＨ寸法の範囲）を同外筒７の内周面に形成している。
【００３７】
そして、ここでのガイドピンの位置調整方法では、図８（ｂ）に示す如く、ガイドピン５の上端部に設けられた磁石２０をその磁力により吸引する操作具Ｍを、同上端部に近接させることによって、ガイドピン５を内筒８のガイドピン挿入孔９から突出させ、この突出状態にあるガイドピン５を持って引き上げられた同内筒８を外筒７に対し回転させることにより、ガイドピン５の平面視における位置を調整するものである。その際、前記係止爪部１６は回動スペースＫにおいて、支障なくスムーズに回動することができる。なお、ガイドピン５の上端部に設けられた磁石２０を吸引する操作具Ｍとしては、同磁石２０の上面側の極と異なる極を有する磁石であっても、鉄板等の磁性体であってもよいものである。
【００３８】
又、すでに述べたように、外筒７の外周面部の周方向に食い込み用突起１２を設けて外筒７を穴１３の内壁面に食い込ませることで外筒７が穴１３から抜けないようにしている。しかしながら、食い込み用突起１２を外筒７の外周面部の周方向に設けた場合、上方への抜け止めは確実にできるが、食い込み用突起１２が周方向に設けてあるため外筒７が周方向に回転する恐れがある。このように外筒７が周方向に回転すると、せっかくガイドピン５の位置調整を行ったとしても、外筒７が回転するとガイドピン５の位置が変化するので、このような事態を回避するため、図６、７、９に示す如く、外筒７の外周部に周方向に部分的に回り止め用突起３１を突設して外筒７の回り止めを行うようになっている。
【００３９】
この場合、食い込み用突起１２の周方向の一部に、食い込み用突起１２よりも更に外側に突出した回り止め用突起３１を一体に突設してある。このように、回り止め用突起３１を食い込み用突起１２の周方向の一部から外側に突出させると、同回り止め用突起３１が穴１３の内壁面に食い込んで外筒７の回り止めができて、位置調整をしたガイドピン５の位置が変化しないようにできるものであり、又、回り止め用突起３１によっても外筒７の抜け止めができることになる。
【００４０】
したがって、この実施形態の吊り戸のガイド装置においては、偏心したガイドピン５を備えた内筒８の外筒７に対する周方向の嵌め込み位置が可変自在とされているので、施工現場において床面４への外筒７の埋設位置に誤差等があっても、内筒８を外筒７に対して回転動作させることで同嵌め込み位置を変化させることにより、平面視におけるガイドピン５の位置を簡単且つ確実に調整することができる。これにより、複数のガイドピン５を上レール２に対応するよう床面４で一直線上に位置させて、吊り戸本体１をその下端部ががたつかないようスムーズに走行させることができるようになる。
【００４１】
更に、図８に示す如く、内筒８を外筒７に対して周方向に回転した複数位置で嵌め込み可能とし、各嵌め込み位置での嵌め込み状態において内筒８が外筒７に対し回転するのを阻止するストッパ手段３０を設けているので、内筒８を完全に嵌め込んだ状態では外筒７に対して同内筒８が回転せず、ガイドピン５の位置を調整した後にその位置ずれを確実に防止することができる。しかも、この場合に、内筒８が引き上げられ外筒７から完全に引き抜かれる手前段階において、内筒８が外筒７に対して回転自在となるよう前記ストッパ手段３０が解除されるようになしているため、内筒８を外筒７から完全に抜き外さなくても同完全に引き抜かれる手前段階において、同ストッパ手段３０が解除された状態で、内筒８を外筒７に対し回転動作させて嵌め込み位置を簡単に変化させることができる。
【００４２】
又、この実施形態の吊り戸のガイド装置においては、図４に示す如く、内筒８の下端部に弾性を有する係止爪部１６が垂設されており、この係止爪部１６が外筒７の下端部に係止されることで、嵌め込み状態にある内筒８が外筒７に対し引き上げられることが阻止されて、同内筒８の不意な抜け外れが防止される。そして、この場合に、図８（ｂ）に示す如く、内筒８が引き上げられて係止爪部１６がその弾性に抗し外筒７の下端部から係止解除された状態で、同内筒８が外筒７から完全に引き抜き出される手前段階において、係止爪部１６が外筒７内で回動自在となるようストッパ手段３０が除去された回動スペースＫを外筒７の内周部位に形成しているため、内筒８を外筒７に対し回転動作させてガイドピン５の位置調整を行う際に、係止爪部１６は外筒７の内周部位の回動スペースＫにおいてスムーズに摺接回動することができ、同ガイドピン５の位置調整作業を支障なく行うことができる。
【００４３】
又、この実施形態のガイドピンの位置調整方法においては、図８（ｂ）に示す如く、ガイドピン５の上端部に設けられた磁石２０をその磁力により吸引する操作具Ｍを同上端部に近接させることによって、ガイドピン５を内筒８のガイドピン挿入孔９から容易に突出させることができる。そして、この突出状態にあるガイドピン５を持って引き上げられた同内筒８を外筒７に対し回転させることにより、極めて簡単にガイドピン５の平面視における位置を調整することができる。
【図面の簡単な説明】
【００４４】
【図１】本願発明の一実施形態である吊り戸のガイド装置を示す一部破断した部分正面図。
【図２】同吊り戸のガイド装置の縦断面図。
【図３】同吊り戸のガイド装置のガイドピンを上下移動自在に嵌め込んだ内筒を外筒に嵌め込んだ状態を示す正面断面図。
【図４】同上の側面断面図。
【図５】同上の平面図。
【図６】同吊り戸のガイド装置の外筒を示す正面図。
【図７】同外筒を示す下面図。
【図８】（ａ）は同外筒を示す正断面図、（ｂ）は同外筒に対して内筒及びガイドピンが調整動作されている状態を一部二点鎖線で示す正断面図。
【図９】同外筒の周り止め用突起及び差し込み溝を示す（ａ）は要部下面図、（ｂ）は要部断面図、（ｃ）は要部斜視図。
【図１０】同外筒内に内筒を嵌め込んだ状態を示す横断面図。
【図１１】従来例を示す（ａ）はガイドピンを上下移動自在に嵌め込んだ内筒を外筒に嵌め込んだ状態の正断面図、（ｂ）は平面図。
【図１２】別の従来例を示す（ａ）はガイドピンを上下移動自在に嵌め込んだ内筒を外筒に嵌め込んだ状態の正断面図、（ｂ）は平面図。
【符号の説明】
【００４５】
１  吊り戸本体
２  上レール
３  ランナー
４  床面
５  ガイドピン
６  走行溝
７  外筒
８  内筒
９  ガイドピン挿入孔
１６  係止爪部
２０  磁石
３０  ストッパ手段
Ｋ  回動スペース
Ｍ  操作具
【図１】
2006291464.tif 000003
【図２】
2006291464.tif 000004
【図３】
2006291464.tif 000005
【図４】
2006291464.tif 000006
【図５】
2006291464.tif 000007
【図６】
2006291464.tif 000008
【図７】
2006291464.tif 000009
【図８】
2006291464.tif 000010
【図９】
2006291464.tif 000011
【図１０】
2006291464.tif 000012
【図１１】
2006291464.tif 000013
【図１２】
2006291464.tif 000014